(57)【特許請求の範囲】
【請求項１】
ａ．内部に貫通したガス流路５１を形成すると共に、このガス流路５１に上向きに弁シート５２を形成した構成のアダプタ５０と、
ｂ．前記アダプタ５０をガスメータ１の入側曲管の出口内に上向きに挿入したときに、アダプタ５０と曲管７間のシールを行うために、アダプタ５０の上部外周面に装着されたＯリング５９と、
ｃ．前記アダプタ５０の外周面において、前記Ｏリング５９の下部に位置し、アダプタ５０を曲管７に固定するために装着された固定爪６０と、
ｄ．前記アダプタ５０において、前記弁シート５２の下部の周壁の一部を切り欠いて形成されたガス流出口５１ａと、
ｅ．前記アダプタ５０の下端部において、上向きに組み入れられていて、正常時には前記ガス流入口５１ａより下部に位置し、作動時に上方に押し上げられて前記弁シート５２に下方から密着してガスの流れを遮断する遮断弁５３と、
ｆ．前記アダプタ５０の下端部内に組み込まれていて、正常時には前記遮断弁５３が下降した状態で静止していることを許容し、火災発生時にこの熱を受けると膨張し、この膨張力で前記遮断弁５３を押し上げて前記弁シート５２に密着させることにより、弁シート５２を経由してガスメータ１内に流入するガスの流れを遮断するためにアダプタ５０の下端部内に組み込まれた遮断弁５３駆動用の熱膨張材５８と、
ｇ．から成るガスメータ１の入側曲管内に組み付けて用いられる感熱ヒューズアダプタ。
【請求項２】
ａ．内部に貫通したガス流路５１を形成すると共に、このガス流路５１に上向きに弁シート５２を形成した構成のアダプタ５０と、
ｂ．前記アダプタ５０をガスメータ１の入側曲管の出口内に上向きに挿入したときに、アダプタ５０と曲管７間のシールを行うために、アダプタ５０の上部外周面に装着されたＯリング５９と、
ｃ．前記アダプタ５０の外周面において、前記Ｏリング５９の下部に位置し、アダプタ５０を曲管７に固定するために装着された固定爪６０と、
ｄ．前記アダプタ５０において、前記弁シート５２の下部の周壁の一部を切り欠いて形成されたガス流出口５１ａと、
ｅ．前記アダプタ５０の下端部において、上向きに組み入れられていて、正常時には前記ガス流入口５１ａより下部に位置し、作動時に上方に押し上げられて前記弁シート５２に下方から密着してガスの流れを遮断する遮断弁５３と、
ｆ．前記アダプタ５０の下端部内に組み込まれていて、正常時には圧縮された状態で前記遮断弁５３が下降した状態で静止していることを許容し、火災発生時に伸長して前記遮断弁５３を押し上げて前記弁シート５２に密着させることにより、弁シート５２を経由してガスメータ１内に流入するガスの流れを遮断するコイルばね６２と、
ｇ．前記アダプタ５０の下端部の内面に環状溝５０ａを形成すると共に、前記遮断弁５３の下部に形成された弁ホルダー５５に対し、遮断弁５３が下降していて全開の状態のときに、前記環状溝５０ａに対向する孔５６を形成し、この孔５６と環状溝５０ａ間にハンダ６１を詰め込んで前記コイルばね６２が上昇するのを押え、火災発生時の熱でハンダ６１が溶解すると弁ホルダー５５を解放し、コイルばね６２の力で遮断弁５３を上昇させて、前記弁シート５２に密着させることによりガスの流れを止める遮断弁５３の制御手段と、
ｈ．から成るガスメータ１の入側曲管内に組み付けて用いられる感熱ヒューズアダプタ。
【発明の詳細な説明】
【０００１】
【発明の属する技術分野】
本発明は、火災が発生した際に、ガスメータの入側配管においてガスを自動的に遮断する感熱ヒューズアダプタに関するものである。
【０００２】
【従来の技術】
都市ガスのガスメータは、通常屋外の外壁か、あるいは集合住宅にあってはパイプシャフトと称される配管スペース内に設置されている。そして、このガスメータ廻りでは、エルボやベント管を用いて配管方向が変えてあったり、配管はねじ接合であることから、火災発生時に倒壊物でねじ接合部分が外れたりすると、ここから生ガスが噴出して被害を大きくしてしまう危険性がある。
【０００３】
従来は、ガスメータの入側配管に元栓と称される手動式のガス栓が取り付けてあることから、火災時にはこの元栓を閉じるようにしている。しかし、この元栓を閉じるいとまがなかったり、一般の人にはそこまで気付かないことも多く、そしてガスメータは建物の外壁のところに露出して設置されている例が殆んどであるため、建物が倒壊したりするとこのガスメータ廻りの配管が折損したり、ガスメータが配管から外れて落下したりする例もある。特に地震時において火災が発生すると、このような事例が多くなることが考えられる。
【０００４】
本発明は、火災時の熱を利用してガス配管内を流れるガスを遮断する感熱ヒューズアダプタを提案するものであるが、このような例としては特開平６−１２３３７２号公報に掲載されているようなハンダを利用する方法及び特開２００１−２５２３６６号公報に掲載されているような熱膨張材を利用する方法が公知である。
【０００５】
しかし、前記ハンダを利用する方法にあっては、遮断弁をハンダで直接固定しているため、このハンダ付けに手間を要することと、ハンダ付けの量などにより溶融して遮断弁が作動するタイミングに安定性がない。又、熱膨張材方式は、この熱膨張材を直接ガス配管内に組み込む方式であることから、この熱膨張材が熱膨張したときに、配管の長手方向に熱膨張材が逃げてしまうため、ガス流路を遮断するためには、熱膨張材の量を多くする必要がある。しかし、このように熱膨張材の量を多くすると、流動抵抗が大きくなると云う欠点と共に熱膨張材は高価であることから、経費が嵩む。又、既設の配管に熱膨張材を組み込むためには、寸法的に配管内で熱膨張材の厚みを均一に保つことが難しく、また、配管内壁面の汚れ等によって、熱膨張材がしっかりと固定されないことも多く、水平方向の配管の場合ならばとにかく、垂直配管に組み込んだような場合には、配管内に落下したり、性能が十分に発揮されない場合もある。
【０００６】
【発明が解決しようとする課題】
本発明は斯る点に鑑みて提案されるものであって、その第１の目的は、ガスメータの入側配管内において、火災発生時に確実にガスを遮断して被害を大きくしないための感熱ヒューズアダプタを提案することである。更に、第２の目的は、新設ばかりでなく、既設の配管内にも取り付けて使用できる感熱ヒューズアダプタを提案することである。
【０００７】
【課題を解決するための手段】
上記目的を達成するため、請求項１に記載の発明においては、ガスメータ１の入側曲管内に組み付けて用いられる感熱ヒューズアダプタにおいて、ａ．内部に貫通したガス流路５１を形成すると共に、このガス流路５１に上向きに弁シート５２を形成した構成のアダプタ５０と、
ｂ．前記アダプタ５０をガスメータ１の入側曲管の出口内に上向きに挿入したときに、アダプタ５０と曲管７間のシールを行うために、アダプタ５０の上部外周面に装着されたＯリング５９と、
ｃ．前記アダプタ５０の外周面において、前記Ｏリング５９の下部に位置し、アダプタ５０を曲管７に固定するために装着された固定爪６０と、
ｄ．前記アダプタ５０において、前記弁シート５２の下部の周壁の一部を切り欠いて形成されたガス流出口５１ａと、
ｅ．前記アダプタ５０の下端部において、上向きに組み入れられていて、正常時には前記ガス流入口５１ａより下部に位置し、作動時に上方に押し上げられて前記弁シート５２に下方から密着してガスの流れを遮断する遮断弁５３と、
ｆ．前記アダプタ５０の下端部内に組み込まれていて、正常時には前記遮断弁５３が下降した状態で静止していることを許容し、火災発生時にこの熱を受けると膨張し、この膨張力で前記遮断弁５３を押し上げて前記弁シート５２に密着させることにより、弁シート５２を経由してガスメータ１内に流入するガスの流れを遮断するためにアダプタ５０の下端部内に組み込まれた遮断弁５３駆動用の熱膨張材５８と、
ｇ．から成ること
を特徴とするものである。
【０００８】
更に、請求項２に記載の発明においては、ガスメータ１の入側曲管内に組み付けて用いられる感熱ヒューズアダプタにおいて、ａ．内部に貫通したガス流路５１を形成すると共に、このガス流路５１に上向きに弁シート５２を形成した構成のアダプタ５０と、
ｂ．前記アダプタ５０をガスメータ１の入側曲管の出口内に上向きに挿入したときに、アダプタ５０と曲管７間のシールを行うために、アダプタ５０の上部外周面に装着されたＯリング５９と、
ｃ．前記アダプタ５０の外周面において、前記Ｏリング５９の下部に位置し、アダプタ５０を曲管７に固定するために装着された固定爪６０と、
ｄ．前記アダプタ５０において、前記弁シート５２の下部の周壁の一部を切り欠いて形成されたガス流出口５１ａと、
ｅ．前記アダプタ５０の下端部において、上向きに組み入れられていて、正常時には前記ガス流入口５１ａより下部に位置し、作動時に上方に押し上げられて前記弁シート５２に下方から密着してガスの流れを遮断する遮断弁５３と、
ｆ．前記アダプタ５０の下端部内に組み込まれていて、正常時には圧縮された状態で前記遮断弁５３が下降した状態で静止していることを許容し、火災発生時に伸長して前記遮断弁５３を押し上げて前記弁シート５２に密着させることにより、弁シート５２を経由してガスメータ１内に流入するガスの流れを遮断するコイルばね６２と、
ｇ．前記アダプタ５０の下端部の内面に環状溝５０ａを形成すると共に、前記遮断弁５３の下部に形成された弁ホルダー５５に対し、遮断弁５３が下降していて全開の状態のときに、前記環状溝５０ａに対向する孔５６を形成し、この孔５６と環状溝５０ａ間にハンダ６１を詰め込んで前記コイルばね６２が上昇するのを押え、火災発生時の熱でハンダ６１が溶解すると弁ホルダー５５を解放し、コイルばね６２の力で遮断弁５３を上昇させて、前記弁シート５２に密着させることによりガスの流れを止める遮断弁５３の制御手段と、
ｈ．から成ることを特徴とするものである。
【０００９】
【作用】
火災が発生すると、その熱でハンダが溶融して遮断弁の固定を解放する。この結果、遮断弁はコイルバネの力で前進し、弁シートに密着してガス流路を遮断する。熱膨張材使用にあっては、火災の熱でこの熱膨張材が熱膨張し、この膨張エネルギーで遮断弁を前進させて弁シートに密着させ、ガスを遮断する。
【００１０】
【実施例１】
図１（Ａ）（Ｂ）はガスメータ廻りの配管例を示すもので、１はガスメータ、２は垂直に立ち上げられた入側ガス配管であって、この入側ガス配管２の途中には元栓３が取り付けてあり、エルボ管４→継手管５→エルボ管６→曲管（又は直管）７→ガスメータ１の入側口金１ａを経由してガスメータ１内に入り、計量されたガスは出側口金１ｂ→曲管（又は直管）８→エルボ管９→継手管１０→エルボ管１１→垂直の出側配管１２→試験口１３を経由して屋内配管に結ばれている。図中１４、１５は曲管７及び８の下端に取り付けられたユニオンナットであって、ガスメータ１の入側と出側の口金１ａ、１ｂは、このユニオンナット１４、１５で曲管７、８の下端に吊設されている。
【００１１】
【実施例１】
本実施例１は、請求項１に対応するもので、図１において示した入側ユニオンナット１４が取り付けられている曲管７の入口７ａ内に感熱ヒューズアダプタを組み込む例である。本実施例１において、アダプタ５０は図８（Ａ）（Ｂ）に示すように、内部にガス流路５１を形成し、このガス流路５１内には上向きに弁シート５２を形成すると共に、この弁シート５２に下流側から密着する遮断弁５３は、アダプタ５０内の下端側において、スライド自在に組み込まれた中空状の弁ホルダー５５に後端５４側がねじ５４ａで固定されている。
【００１２】
また、前記弁ホルダー５５の一部には孔５６があけてあり、この孔５６に対向するガス流路５１側の内壁には、環状溝５０ａが形成してある。そしてアダプタ５０の下端であって、前記弁ホルダー５５の外側の開口部にはねじ式のキャップ５７が取り付けられている。
５８は、前記弁ホルダー５５とキャップ５７により形成された空間内に充填された熱膨張材であって、この熱膨張材５８は、前記弁ホルダー５５の孔５６及びこの孔５６を経由して環状溝５０ａ内にも充填されていて、弁ボルダー５５及び遮断弁５３をアダプタ５０側に固定している。
【００１３】
図８（Ｂ）において５１ａはアダプタ５０の一部を切り欠いて形成したガス流出口であって、ガスは曲管７から一旦アダプタ５０内に入り、弁シート５２を経由してこのガス流出口５１ａから入側口金１ａを介してガスメータ１内に入る。
図８において、５９はシール用のＯリング、６０はアダプタ５０を曲管７内に挿し込んだ時にアダプタ５０を曲管７の出口に固定するための固定爪である。
【００１４】
図９（Ａ）（Ｂ）は、アダプタ５０内に遮断弁５３と弁ホルダー５５を組み込む手順を示したもので、遮断弁５３は図９（Ａ）に示すように、ガス流出口５１ａから内部に組み込み、弁ホルダー５５はアダプタ５０においてキャップ５７を取り付ける前に下端の開口部側から押し込むようにして挿入し、その上で遮断弁５３の弁筒部５４を弁ホルダー５５の先端側にねじ込んで合体し、次に熱膨張材５８を充填し、キャップ５７を閉じる。このとき、熱膨張材５８の一部は、孔５６と環状溝５０ａ内にも入り込むことにより、遮断弁５３の動きを阻止している。
【００１５】
本実施例１の感熱ヒューズアダプタにおいては、火災時の熱で熱膨張材５８が熱膨張すると、この膨張エネルギーで遮断弁５３と弁ホルダー５５が一体になって上昇し、弁シート５２に遮断弁５３が密着してガス流路５１を遮断する。この状態は、図８（Ａ）（Ｂ）において、中心線ａの右側に示してある。
【００１６】
【実施例２】
本実施例２は、請求項２に対応しており、図１０（Ａ）（Ｂ）に示すように、実施例４の熱膨張材５８に代えてキャップ５７と遮断弁５３の空間内にコイルばね６２を組み込み、孔５６と環状溝５０ａ内にハンダ６１を詰め込んで遮断弁５３をコイルばね６２に抗して押し込んでガス流路５１を開通し、火災時の熱でハンダ６１が溶融することにより図１０（Ａ）中心線ａの右側に示すように、遮断弁５３の固定を解除してコイルばね６２の力で遮断弁５３を前進させて弁シート５２に密着させてガス流路５１を遮断する例である。図１０において（Ｂ）はガス管７０、７１間に異径配管接続スリーブ７２を用いてアダプタ５０を組み込んだ例である。
本実施例２においては、アダプタ５０を組み込む配管の方向は縦、横任意である。
【００１７】
【参考例１】
図２（Ａ）は参考例１であって、この参考例１は、ハンダ製の制御部材で遮断弁を制御するものである。具体的には、上端外周にねじ２０ａを設け、下端外周にスナップリング２０ｂを取り付けた継手管２０のガス流路２１内に弁シート２２を形成し、この弁シート２２に上流側からスプリング２９により密着自在に遮断弁２３を組み込むと共にこの遮断弁２３をスプリング２９に抗して後退させた位置において、遮断弁２３を固定するために、弁シート２２の前方において遮断弁２３を阻止しているハンダ製の制御部材３０を組み込んだ構成である。
【００１８】
２４は遮断弁２３の後部を筒状に延長して形成した弁筒であって、この弁筒２４内には、継手管２０のガス流路２１の内壁にＣリング２８で固定された図４に示す固定板２７の固定穴２７ａにボス２６を嵌合して取り付けられた案内筒２５の先端側が挿入されている。また。前記したスプリング２９はこの案内筒２５内に組み込まれていて、その先端が遮断弁２３（弁筒２４の奥）に当接して、遮断弁２３を常時前進するように賦勢している。
３２は継手管２０の下端側において、前記スナップリング２０ｂにより取り付けられたユニオンナットである。図３はハンダ製の制御部材の平面図であって、中央には遮断弁２３の先端が収まる凹み３１が設けてある。
【００１９】
上記構成において、継手管２０は、図２に示すように、図１（Ａ）（Ｂ）において説明したユニオンナット１４に継手管２０の上部のねじ部２０ａを接続し、継手管２０の下端に取り付けたユニオンナット３２にガスメータ１の入側口金１ａを接続する。一方、ガスメータ１の出側においては、図２（Ｂ）に示すように内部に遮断弁等の構成のない、出側継手管３３を接続することによって入側とのバランスがとられている。
【００２０】
このようにして配管されたガスメータ１の廻りにおいて、万一火災が発生すると、その熱でハンダを素材とした制御部材３０が溶融する。この結果、図２において中心線ａから右側に示したように、遮断弁２３の固定が解除されて、遮断弁２３はスプリング２９の作用で下降し、弁シート２２に密着し、ガス流路２１を遮断する。この作用によりガスの流れが止り、ガスメータ１内を経由して屋内側にガスが流れなくなり、建物の倒壊等があっても、配管内に残留していたガスの流出は多少あるものの、大きな被害となるような生ガスの流出や着火による二次災害はなくなる。
【００２１】
【参考例２】
本参考例２は、図６の継手短管３５において、縦、横何れの配管内にも使用できるように工夫した感熱ヒューズアダプタの例であって、継手短管３５のガス流路２１の出入り口には、夫々内径ねじ３６、３７が設けてあり、この内径ねじ３６、３７を用いて配管中に接続することができる。なお、継手短管３５の両端には、内径ねじ３６、３７に換えて、接続用に外径ねじを設けても良い。
【００２２】
【参考例３】
本参考例３は、図７に示すように、エルボ管４０内に感熱ヒューズアダプタを組み込んだ場合であって、エルボ管４０は、図１で示したエルボ管４に対応している。
【００２３】
【参考例４】
本参考例４は、図１１（Ａ）（Ｂ）（Ｃ）に示すように、継手管８０内のガス流路８１に対してスプリング８６の作用で直角方向から入り込んでガス流路８１を遮断することができる円筒状の遮断弁（栓体）８５を組み込んだ感熱ヒューズアダプタの例であり、９０は継手管８０の遮断弁組込口８３の孔８８と遮断弁８５の凹部８９内に詰め込んだハンダであって、スプリング８６に抗して遮断弁８５を後退させてこのハンダ９０で固定しておき、火災発生時の熱でハンダ９０が溶融すると、図１１（Ｃ）に示すようにスプリング８６の力で遮断弁８５が前進してガス流路８１の閉塞空間８２内に入り、ガス流路８１を閉塞する構成である。
【００２４】
図１１（Ａ）（Ｂ）（Ｃ）において、９１は図１のユニオンナット７に相当するユニオンナットであって、本参考例４の継手管８０は入側曲管７に相当している。但し、これは一例であって、配管中の任意の場所に挿入して使用することができる。
【００２５】
【参考例５】
本参考例５は、実施例６のハンダ９０に換えて、遮断弁組込口８３に固定板９２を取り付け、この固定板９２を経由して遮断弁８５の突軸８５ａを突き出し、この突き出した突軸８５ａをピン状のハンダ９３で固定板９２に止めることにより遮断弁８５がスプリング８６の作用で前進するのを阻止するようにしたもので、図１２（Ａ）（Ｂ）は作動前、図１２（Ｃ）は火災発生時にその熱でハンダ９３が溶融して突軸８５ａが解放され、遮断弁８５がスプリング８６の力で前進し、ガス流路８１を遮断した状態を示すものである。
【００２６】
【参考例６】
本参考例６は、図１３（Ａ）（Ｂ）に示すように、継手管８０内のガス流路８１内に出入り自在の遮断弁８５に熱膨張材充填空間８５ｂを形成すると共に遮断弁８５の組込口８３に透孔９６を設け、更に遮断弁８５の充填空間８５ｂの壁に前記透孔９６間に対向する透孔９５を設け、キャップ８７で閉塞し、充填空間８５ｂ内と前記透孔９５及び９６内に熱膨張材９７を充填したもので、火災発生時の熱で熱膨張材９７が熱膨張すると、この膨張エネルギーで遮断弁８５が前進してガス流路８１を図１３（Ｂ）に示すように閉塞してガスを遮断するものである。なお、透孔９５と９６内に充填された熱膨張材９７は通常時に遮断弁８５が動くのを阻止している。
図１３（Ａ）において、９１は図１の入側ユニオンナット７に相当するユニオンナットである。なお、本発明において、熱膨張材とは、熱膨張性黒鉛又は熱膨張性ゴム又は熱膨張性樹脂を含む上位概念である。
【００２７】
【発明の効果】
本発明は以上の如き構成から成り、これをガスメータ廻りの配管の一部に取り付けることにより、火災発生時にガスメータ廻りにおいてガスを遮断することができるので、生ガスの流出による二次災害の増大を防止することができる。
更に本発明によると、配管の接続部内に感熱ヒューズアダプタを組み込む方式のため、取り付けが簡単であると共に既設の配管にも適用できる。
更に本発明によると、遮断弁の作動をハンダの溶融又は熱膨張材の熱膨張作用により行うため、火災発生時に確実に作動させることができるばかりでなく、経年的に性能の劣化もなく、長期間安全性を保障することができる。
【図面の簡単な説明】
【図１】  ガスメータとこの廻りの配管例の説明図。
【図２】  参考例１の説明図。
【図３】  ハンダ製制御部材の説明図。
【図４】  案内筒固定板の説明図。
【図５】  Ａ−Ａ´線断面図。
【図６】  参考例２の全方向型感熱ヒューズアダプタの説明図。
【図７】  参考例３のエルボ管内に感熱ヒューズアダプタを組み込んだ例の説明図。
【図８】  実施例１の感熱ヒューズアダプタの説明図。
【図９】  感熱ヒューズアダプタの組み立て例の説明図。
【図１０】  実施例２の全方向型感熱ヒューズアダプタの説明図。
【図１１】  参考例４の遮断弁をスプリングとハンダの作用でガス流路を直角方向から閉塞する感熱ヒューズアダプタの説明図。
【図１２】  参考例５の遮断弁をスプリングとハンダの作用でガス流路を直角方向から閉塞する感熱ヒューズアダプタの説明図。
【図１３】  参考例６の遮断弁と熱膨張材の作用でガス流路を直角方向から閉塞する感熱ヒューズアダプタの説明図。
【符号の説明】
１  ガスメータ
１ａ  入側口金
１ｂ  出側口金
２０  継手管
２１  ガス流路
２２  弁シート
２３  遮断弁
３０  ハンダ製の制御部材
５０  アダプタ
５１  ガス流路
５８  熱膨張材
６１  ハンダ
８０  継手管
９７  熱膨張材
【図１】
0003866987.tif 000002
【図２】
0003866987.tif 000003
【図３】
0003866987.tif 000004
【図４】
0003866987.tif 000005
【図５】
0003866987.tif 000006
【図６】
0003866987.tif 000007
【図７】
0003866987.tif 000008
【図８】
0003866987.tif 000009
【図９】
0003866987.tif 000010
【図１０】
0003866987.tif 000011
【図１１】
0003866987.tif 000012
【図１２】
0003866987.tif 000013
【図１３】
0003866987.tif 000014